(57)【特許請求の範囲】
【請求項１】
板状の扉本体と把手部を備え、前記把手部は、扉本体の端面に設けられた表面側縁部と裏面側縁部及びこの両者の間に形成された溝部によって構成され、前記表面側縁部は裏面側縁部よりも短く、溝部の断面形状は曲線であって前記表面側縁部近傍の曲率半径を裏面側縁部近傍の曲率半径よりも裏面側縁部から表面側縁部に沿って徐々に大きくして断面形状を曲線とすることで、化粧シートをラミネートする際に、ラミネータのローラが裏面側縁部に当たって邪魔にならず、同ローラの押さえ付け部が溝部の表面側縁部近傍に当接されるようになしたことを特徴とする扉。
【請求項２】
裏面側縁部近傍の曲率半径と表面側縁部近傍の曲率半径との比が、１：１．５〜１：４の範囲内であることを特徴とする請求項１に記載の扉。
【請求項３】
前記扉本体及び把手部に化粧シートが貼付されたことを特徴とする請求項１又は請求項２に記載の扉。
【発明の詳細な説明】
【技術分野】
【０００１】
本発明は、容易に化粧シートを貼付することができる扉に関するものである。
【背景技術】
【０００２】
図４（ａ）は、従来の扉Ｂの把手部１２の断面図であり、図４（ｂ）は、化粧シート１７を圧着中の扉Ｂの把手部１２の断面図である。なお、化粧シート１７を明確にするため、ハッチは省略している。
【０００３】
従来から、図４（ａ）に示す断面形状の把手部１２を備えた扉Ｂが、知られている。前記把手部１２は、表面側縁部１５と裏面側縁部１６及びこの両者の間に形成された溝部１３によって構成され、前記表面側縁部１５は裏面側縁部１６よりも短く、前記溝部１３の断面形状は円弧である。そして、扉Ｂの見栄えを良くするため、扉Ｂには化粧シート１７が貼付されている。このような構成の扉が、例えば特許文献１に開示されている。特許文献１には、表面に化粧シート（塩化ビニル樹脂シート）を貼付した、扉用把手部の構造が開示されている。
【特許文献１】特開平８−６０９４５号公報
【発明の開示】
【発明が解決しようとする課題】
【０００４】
通常、扉への化粧シートの貼付は、ラミネータと呼ばれる装置によって行われる。ラミネータは、化粧シートの裏面に接着剤を塗布し、化粧シートの接着剤を塗布した部分を扉パネルに貼り合わせ、化粧シートを介してローラＣで扉を押さえ付けることにより、化粧シートを扉に圧着する。なお、ローラＣの押さえ付け部２０は、エチレンプロピレンゴム（ＥＰＤＭ）等で柔らかく形成されている。
【０００５】
図４（ｂ）に示すように、従来の扉Ｂの場合、裏面側縁部１６がローラＣに当たって邪魔になるため、ローラＣの押さえ付け部２０を把手部１２の溝部１３の表面側縁部１５近傍に当接させにくい部分１０が生じていた。このため、当該部分において、化粧シート１７がうまく接着せず、浮き上がって、しわになったり、破れたりする原因となっていた。
【０００６】
そこで本発明は、ローラＣの押さえ付け部２０を、全ての面に当接させることができる形状の把手部を具備する扉を提供することを課題とする。
【課題を解決するための手段】
【０００７】
上記課題を解決するため、請求項１の発明は、板状の扉本体と把手部を備え、前記把手部は、扉本体の端面に設けられた表面側縁部と裏面側縁部及びこの両者の間に形成された溝部によって構成され、前記表面側縁部は裏面側縁部よりも短く、溝部の断面形状は曲線であって前記表面側縁部近傍の曲率半径を裏面側縁部近傍の曲率半径よりも裏面側縁部から表面側縁部に沿って徐々に大きくして断面形状を曲線とすることで、化粧シートをラミネートする際に、ラミネータのローラが裏面側縁部に当たって邪魔にならず、同ローラの押さえ付け部が溝部の表面側縁部近傍に当接されるようになしたことを特徴とする。これにより、ローラの押さえ付け部を、把手部の全ての面に当接させることができる。
【０００８】
請求項２の発明は、請求項１の発明において、裏面側縁部近傍の曲率半径と表面側縁部近傍の曲率半径との比が、１：１．５〜１：４の範囲内であることを特徴とする。これにより、ローラの押さえ付け部を、把手部の全ての面に当接させることができ、且つ、手掛かりとなるくぼみを形成することができる。
【０００９】
請求項３の発明は、請求項１又は請求項２の発明において、扉本体及び把手部に化粧シートが貼付されたことを特徴する。これにより、本発明に係る扉の見栄えを良くする事が出来る。
【発明の効果】
【００１０】
本発明では、ラミネータのローラの押さえ付け部を、扉の把手部の全ての面に当接させることができるため、化粧シートに扉と接着していない部分が生じない。そのため、化粧シートが浮き上がって、しわになったり、破れたりするのを防止することができる。
【発明を実施するための最良の形態】
【００１１】
図１は、本発明に係る扉Ａの斜視図である。本発明に係る扉Ａは、一枚で片開きの扉として使用することもできるし、図１に示すように、二枚一組で、観音開きの扉として使用することもできる。
【００１２】
図２（ａ）は、本発明に係る扉Ａの把手部２の断面図であり、図２（ｂ）は、化粧シート７を圧着中の扉Ａの把手部２の断面図である。なお、化粧シート７を明確にするため、ハッチは省略している。本発明に係る扉Ａは、扉本体１と把手部を２備えており、図２に示すように、把手部２は、扉本体１の端面に設けられた表面側縁部５と裏面側縁部６及びこの両者の間に形成された溝部３によって構成される。表面側縁部５は裏面側縁部６よりも短い。
【００１３】
そして、溝部３の断面形状は、曲線であって、本実施形態においは、裏面側縁部６近傍の曲率半径と表面側縁部５近傍の曲率半径との比が１：３となるように形成している。扉Ａには、化粧シート７が貼付される。
【００１４】
なお、裏面側縁部６近傍の曲率半径と表面側縁部５近傍の曲率半径との比は１：３に限定されるものではなく、１：１．５〜１：４の範囲内であることが望ましい。また、本発明では、扉Ａの溝部３の曲率半径は、裏面側縁部６から表面側縁部５に沿って、徐々に大きくなっている。
【００１５】
図３（ａ）は、従来の扉Ｂの把手部の断面図である。図３（ｂ）〜（ｅ）は、本発明に係る扉Ａの把手部の断面図であり、それぞれの裏面側縁部６近傍の曲率半径と表面側縁部５近傍の曲率半径との比は、図３（ｂ）が１：１．５、図３（ｃ）が１：２、図３（ｄ）が１：３、図３（ｅ）が１：４である。それぞれの断面図の下には、裏面側縁部６近傍の曲率半径と表面側縁部５近傍の曲率半径との比が示されている。
【００１６】
表面側縁部５近傍の曲率半径を裏面側縁部６近傍の曲率半径の１．５倍以上にすると、化粧シート７を扉Ａに貼付する際、ラミネータのローラＣの押さえ付け部２０を把手部２の溝部３に対して適度な角度をもって当接させることができるため、当該溝部３に対して化粧シート７を強固に圧着させることができる。また、表面側縁部５近傍の曲率半径が裏面側縁部６近傍の曲率半径の４倍以下にすると、表面側縁部５近傍に適度な窪みを形成することができる。このため、把手部２の指の引っ掛かりがよくなり、把手としての機能を増大させることができる。
【００１７】
把手部２は、扉本体１とは別部材として形成してもよいし、扉本体１と一体として形成してもよい。把手部２を別部材として形成する場合には、合成樹脂の押し出し成型（射出成型）によって形成することもできるし、木材（角材）を切削して形成することもできる。そして、接着剤やだぼその他適当な方法で両者を固定する。把手部２を扉本体１と一体に形成する場合、扉本体１を木材で形成するときは、扉本体１の端面を切削して、把手部２を形成することもできるし、扉本体１を合成樹脂で形成するのであれば、型枠で扉本体１と把手部２を一体に形成することもできる。
【００１８】
上記のようにして形成された扉Ａには、ラミネータによって化粧シート７が貼付される。図２（ｂ）に示すように、本発明に係る扉Ａは、把手部２の溝部３の形状に特徴があり、把手部２の全ての面にローラＣの押さえ付け部２０を当接させることができる。そのため、化粧シート７を扉Ａに対して確実に圧着することができ、化粧シート７の浮き上がりによる、しわや破損がない。
【００１９】
化粧シート７としては、例えば、天然突板、人工突板、不織布、紙、合成樹脂シート等を用いることができる。好適な合成樹脂シートとしては、例えば、オレフィン樹脂、塩化ビニル樹脂、ポリエステル樹脂、アクリル樹脂等のシートが挙げられる。また、これらの合成樹脂シートの間に紙を挟んで圧着した複合シートや、合成樹脂を含浸させた含浸紙等も化粧シート７として用いることができる。これらの化粧シート７に上塗りを施してもよい。化粧シート７の厚みは、例えば、０．０５〜１ｍｍ程度の範囲とすることができる。また、接着剤としては、例えば、酢酸ビニル系接着剤、クロロプレン系合成ゴム溶剤型接着剤、尿素系接着剤等を使用することができる。
【図面の簡単な説明】
【００２０】
【図１】本発明に係る扉の斜視図である。
【図２】（ａ）は、本発明に係る扉の把手部の断面図であり、（ｂ）は、化粧シートを圧着中の扉の把手部の断面図である。
【図３】（ａ）は、従来の扉の把手部の断面図であり、図３（ｂ）〜（ｅ）は、本発明に係る扉の把手部の断面図である。それぞれの裏面側縁部近傍の曲率半径と表面側縁部近傍の曲率半径との比は、（ｂ）が１：１．５、（ｃ）が１：２、（ｄ）が１：３、（ｅ）が１：４である。
【図４】（ａ）は、従来の扉の把手部の断面図であり、（ｂ）は、化粧シートを圧着中の扉の把手部の断面図である。
【符号の説明】
【００２１】
１  扉本体
２  把手部
３  溝部
５  表面側縁部
６  裏面側縁部
７  化粧シート
【図１】
0004725303.tif 000002
【図２】
0004725303.tif 000003
【図３】
0004725303.tif 000004
【図４】
0004725303.tif 000005